【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
造影剤注入器システムであって、前記造影剤注入器システムは、
パワーヘッドであって、
筐体と、
軸に沿って移動するように設計されるモータ付き駆動ラムであって、前記モータ付き駆動ラムの少なくとも一部は、前記筐体内に位置する、モータ付き駆動ラムと、
前記筐体に対して注射筒を少なくとも実質的に固定するように設計されている注射器取付台であって、前記駆動ラムは、前記注射筒内で、およびそれに対して注射器のプランジャを移動させることができる、注射器取付台と
を備えている、パワーヘッドと、
前記パワーヘッドと通信している第１のコンソールであって、前記第１のコンソールは、第１のディスプレイを備え、前記第１のコンソールは、注入パラメータをプログラムするためにユーザによって利用されることができる、第１のコンソールと、
ＣＡＮ準拠注入器通信バスを備えている自動注入器制御モジュールと、
前記ＣＡＮ準拠注入器通信バスと動作可能に相互接続されている第１のデータ変換モジュールであって、前記第１のデータ変換モジュールは、前記ＣＡＮ準拠注入器通信バスからのＣＡＮ準拠データをＨＬ−７準拠データに変換するように構成されている、第１のデータ変換モジュールと
を備えている、造影剤注入器システム。
【請求項２】
前記ＣＡＮ準拠注入器通信バスと動作可能に相互接続されている第２のデータ変換モジュールをさらに備え、前記第２のデータ変換モジュールは、前記ＣＡＮ準拠注入器通信バスからのＣＡＮ準拠データを、第１のＣＡＮ準拠形式から第２のＣＡＮ準拠形式に変換するように構成されている、請求項１に記載の造影剤注入器システム。
【請求項３】
前記第１のデータ変換モジュールは、データを前記第１のＣＡＮ準拠形式から前記ＨＬ−７準拠データに変換する、請求項２のいずれか一項に記載の造影剤注入器システム。
【請求項４】
前記第１のデータ変換モジュールは、データを前記第２のＣＡＮ準拠形式から前記ＨＬ−７準拠データに変換する、請求項２に記載の造影剤注入器システム。
【請求項５】
撮像システムと、医療情報システムと、請求項２〜４のいずれか一項に記載の造影剤注入器システムとを備えている医療システムであって、前記第１のデータ変換モジュールは、前記医療情報システムと動作可能に相互接続され、前記第２のデータ変換モジュールは、前記撮像システムと動作可能に相互接続されている、医療システム。
【請求項６】
前記第１のデータ変換モジュールは、第１および第２の通信ノードを備え、前記第１の通信ノードは、前記ＣＡＮ準拠注入器通信バスと動作可能に相互接続され、前記第１のデータ変換モジュールは、前記第２の通信ノードを通して前記第１のデータ変換モジュールによって受信されるデータ要求に応答してのみ、データを前記第２の通信ノードに出力するように構成されている、請求項１〜４のいずれか一項に記載の造影剤注入器システム。
【請求項７】
請求項１〜４および６のいずれかに記載の造影剤注入器システムを備えている医療システムであって、前記造影剤注入器システムは、読取機をさらに備え、前記第１のコンソールは、第１のユーザ入力デバイスを備え、前記第１のコンソールは、前記造影剤注入器システムおよび撮像システムのうちの少なくとも１つと動作可能に相互接続され、前記医療システムは、
前記造影剤注入器システムと動作可能に相互接続されている撮像システムと、
複数の造影剤容器を備えている造影剤貯蔵／分配ユニットであって、各造影剤容器は、データ記憶デバイスを備え、前記読取機は、前記造影剤注入器システムによって使用される造影剤を有する対応する前記造影剤容器の前記データ記憶デバイスからデータを少なくとも読み取るように動作可能である、造影剤貯蔵／分配ユニットと、
医療情報システムと、
前記第１のデータ変換モジュールを備えている注入データ管理モジュールであって、前記注入データ管理モジュールは、前記ＣＡＮ準拠注入器通信バスと前記医療情報システムとの間に配置され、それらの各々と動作可能に相互接続されている、注入データ管理モジュールと
をさらに備えている、医療システム。
【請求項８】
少なくとも１つの腎機能査定モジュールをさらに備えている、請求項７に記載の医療システム。
【請求項９】
請求項１〜４および６のいずれかに記載の造影剤注入器システムを備えている医療システムであって、前記造影剤注入器システムは、読取機をさらに備え、前記第１のコンソールは、第１のユーザ入力デバイスを備え、前記第１のコンソールは、前記造影剤注入器システムおよび撮像システムのうちの少なくとも１つと動作可能に相互接続され、前記医療システムは、
前記造影剤注入器システムと動作可能に相互接続されている撮像システムと、
複数の造影剤容器を備えている造影剤貯蔵／分配ユニットと、
少なくとも１つの腎機能査定モジュールと、
医療情報システムと、
前記第１のデータ変換モジュールを備えている注入データ管理モジュールであって、前記注入データ管理モジュールは、前記ＣＡＮ準拠注入器通信バスと前記医療情報システムとの間に配置され、それらの各々と動作可能に相互接続されている、注入データ管理モジュールと
をさらに備えている、医療システム。
【請求項１０】
前記造影剤注入器システムは、データ読取機をさらに備え、前記造影剤貯蔵／分配ユニットの各造影剤容器は、データ記憶デバイスを備え、前記データ読取機は、前記造影剤注入器システムによって使用される造影剤を有する対応する前記造影剤容器の前記データ記憶デバイスからデータを少なくとも読み取るように動作可能である、請求項９に記載の医療システム。
【請求項１１】
前記少なくとも１つの腎機能査定モジュールは、前記造影剤注入器システムを使用して造影剤を患者に注入する前に、少なくとも１つの患者腎機能検査を提供するように構成され、前記造影剤は、前記造影剤貯蔵／分配ユニットによって提供される、請求項８〜１０のいずれか一項に記載の医療システム。
【請求項１２】
前記造影剤注入器システムは、第１の腎機能査定モジュールを備え、前記少なくとも１つの患者腎機能査定モジュールは、前記第１の腎機能査定モジュールを備えている、請求項８〜１１のいずれか一項に記載の医療システム。
【請求項１３】
前記第１の腎機能査定モジュールは、
１）前記造影剤注入器システムが造影剤を患者に注入するように動作される前に、少なくとも１つの患者腎機能検査を提供することと、
２）前記造影剤注入器システムが患者のためのプログラムされた注入を進めることができる前に、入力を要求し、前記入力は、患者腎機能が検査されたことの確認であることと
のうちの少なくとも一方であるように構成される、請求項１２に記載の医療システム。
【請求項１４】
前記第１の腎機能査定モジュールは、閾値腎機能データを患者腎機能データと比較するように構成されている比較論理を備えている、請求項１２および１３のいずれか一項に記載の医療システム。
【請求項１５】
前記造影剤貯蔵／分配ユニットは、第２の腎機能査定モジュールをさらに備え、前記少なくとも１つの腎機能査定モジュールは、前記第２の腎機能査定モジュールを備え、前記第２の腎機能査定モジュールは、前記造影剤貯蔵／分配ユニットから任意の前記造影剤容器を解放する前に、少なくとも１つの患者腎機能検査を提供するように構成されている、請求項８〜１４のいずれか一項に記載の医療システム。
【請求項１６】
前記造影剤貯蔵／分配ユニットは、第２のディスプレイと、第２のユーザ入力デバイスとを備え、前記第２の腎機能査定モジュールは、
１）前記造影剤貯蔵／分配ユニットが任意の前記造影剤容器を分配するであろう前に、前記第２のユーザ入力デバイスを通して入力を要求し、前記入力は、患者腎機能が検査されたことの確認であることと、
２）前記造影剤貯蔵／分配ユニットが任意の前記造影剤容器を分配するであろう前に、前記第２のユーザ入力デバイスを通して入力を要求し、前記入力は、患者腎機能が前記造影剤貯蔵／分配ユニットから分配される造影剤の閾値腎機能に従うことを決定されていることの確認であることと
のうちの少なくとも一方であるように構成される、請求項１５に記載の医療システム。
【請求項１７】
前記第２の腎機能査定モジュールは、コンパレータを備え、前記造影剤貯蔵／分配ユニットが任意の前記造影剤容器を分配するであろう前に、第１、第２、および第３の入力を要求するように構成され、前記第１の入力は、造影剤タイプであり、前記第２の入力は、前記第１の入力に関連付けられている閾値腎機能であり、前記第３の入力は、患者腎機能データであり、前記造影剤貯蔵／分配ユニットは、前記第２の入力が前記第３の入力に従うことを前記コンパレータが決定した場合、第１の前記造影剤容器を分配するであろう、請求項１５および１６のいずれか一項に記載の医療システム。
【請求項１８】
複数の造影剤タイプおよび複数の閾値腎機能を備えているデータ記憶機構をさらに備え、各造影剤タイプは、対応する前記閾値腎機能に関連付けられ、前記データ記憶機構は、前記造影剤注入器システムおよび前記造影剤貯蔵／分配ユニットのうちの少なくとも１つと動作可能に相互接続されている、請求項８〜１７のいずれか一項に記載の医療システム。
【請求項１９】
前記医療情報システムは、病院情報システム、健康管理情報システム、放射線情報システム、薬局情報システム、病院管理システム、またはそれらの任意の組み合わせから成る群より選択される、請求項５および７〜１８のいずれか一項に記載の医療システム。
【手続補正２】
【補正対象書類名】明細書
【補正対象項目名】００８８
【補正方法】変更
【補正の内容】
【００８８】
本明細書で使用されるように、用語「分離可能に相互接続される」とは、構成要素間の関係を説明しており、その場合、構成要素は、相互接続されるが、互から分離される能力を維持し、分離後に、構成要素の各々が、使用可能な状態のままである。例えば、「パワーヘッドと分離可能に相互接続されている自動注入注射器」とは、自動注入注射器がパワーヘッドから分離されることを可能にする様式で自動注入注射器が現在、パワーヘッドに相互接続されている状態を説明する。さらに、そのような分離後に、自動注入注射器およびパワーヘッドは両方とも、相互（または、別の構成要素）と（例えば、分離可能に）相互接続される能力を維持する。
実施形態において、本発明は、例えば、下記の項目を提供する。
（項目１）
造影剤注入器システムであって、前記造影剤注入器システムは、
パワーヘッドであって、
筐体と、
軸に沿って移動するように設計されるモータ付き駆動ラムであって、前記モータ付き駆動ラムの少なくとも一部は、前記筐体内に位置する、モータ付き駆動ラムと、
前記筐体に対して注射筒を少なくとも実質的に固定するように設計されている注射器取付台であって、前記駆動ラムは、前記注射筒内で、およびそれに対して注射器のプランジャを移動させることができる、注射器取付台と
を備えている、パワーヘッドと、
前記パワーヘッドと通信している第１のコンソールであって、前記第１のコンソールは、第１のディスプレイを備え、前記第１のコンソールは、注入パラメータをプログラムするためにユーザによって利用されることができる、第１のコンソールと、
ＣＡＮ準拠注入器通信バスを備えている自動注入器制御モジュールと、
前記ＣＡＮ準拠注入器通信バスと動作可能に相互接続されている第１のデータ変換モジュールであって、前記第１のデータ変換モジュールは、前記ＣＡＮ準拠注入器通信バスからのＣＡＮ準拠データをＨＬ−７準拠データに変換するように構成されている、第１のデータ変換モジュールと
を備えている、造影剤注入器システム。
（項目２）
前記ＣＡＮ準拠注入器通信バスと動作可能に相互接続されている第２のデータ変換モジュールをさらに備え、前記第２のデータ変換モジュールは、前記ＣＡＮ準拠注入器通信バスからのＣＡＮ準拠データを、第１のＣＡＮ準拠形式から第２のＣＡＮ準拠形式に変換するように構成されている、項目１に記載の造影剤注入器システム。
（項目３）
前記第２のＣＡＮ準拠形式は、ＣｉＡ  ４２５を備えている、項目２に記載の造影剤注入器システム。
（項目４）
前記第１および第２のデータ変換モジュールは、並列に接続されている、項目２〜３のいずれか一項に記載の造影剤注入器システム。
（項目５）
前記第１のデータ変換モジュールは、データを前記第１のＣＡＮ準拠形式から前記ＨＬ−７準拠データに変換する、項目２〜４のいずれか一項に記載の造影剤注入器システム。
（項目６）
前記第１および第２のデータ変換モジュールは、直列に接続されている、項目２〜３のいずれか一項に記載の造影剤注入器システム。
（項目７）
前記第１のデータ変換モジュールは、データを前記第２のＣＡＮ準拠形式から前記ＨＬ−７準拠データに変換する、項目２〜３および６のいずれか一項に記載の造影剤注入器システム。
（項目８）
撮像システムと、医療情報システムと、項目２〜７のいずれか一項に記載の造影剤注入器システムとを備えている医療データ管理システムであって、前記第１のデータ変換モジュールは、前記医療情報システムと動作可能に相互接続され、前記第２のデータ変換モジュールは、前記撮像システムと動作可能に相互接続されている、医療データ管理システム。
（項目９）
前記医療情報システムは、病院情報システムを備えている、項目８に記載の医療データ管理システム。
（項目１０）
第１の筐体であって、前記第２のデータ変換モジュールは、前記第１の筐体内に配置されている、第１の筐体と、
前記第２のデータ変換モジュールと前記パワーヘッドとの間の通信リンクと
をさらに備えている、項目２〜３のいずれか一項に記載の造影剤注入器システム。
（項目１１）
前記第１のデータ変換モジュールは、前記第１の筐体内に配置されている、項目１０に記載の造影剤注入器システム。
（項目１２）
前記第１の筐体は、第１および第２の通信ポートを備え、前記第１の通信ポートは、前記第１のデータ変換モジュールと動作可能に相互接続され、前記第２の通信ポートは、前記第２のデータ変換モジュールと動作可能に相互接続されている、項目１１に記載の造影剤注入器システム。
（項目１３）
撮像システムと、医療情報システムと、項目１２に記載の造影剤注入器システムとを備えている医療システムであって、前記第１のデータ変換モジュールは、前記第１の通信ポートを通して前記医療情報システムと動作可能に相互接続され、前記第２のデータ変換モジュールは、前記第２の通信ポートを通して前記撮像システムと動作可能に相互接続されている、医療システム。
（項目１４）
前記医療情報システムは、病院情報システムを備えている、項目１３に記載の医療システム。
（項目１５）
前記第１のデータ変換モジュールは、前記第１の筐体の外側に位置し、前記第１の筐体は、各々が前記第２のデータ変換モジュールと動作可能に相互接続されている第１および第２の通信ポートを備え、前記第１のデータ変換モジュールは、第１の通信ポートを通して前記第２のデータ変換モジュールと動作可能に相互接続されている、項目１０に記載の造影剤注入器システム。
（項目１６）
前記第１の通信ポートと前記第１のデータ変換モジュールとの間に有線通信リンクをさらに備えている、項目１５に記載の造影剤注入器システム。
（項目１７）
撮像システムと、医療情報システムと、項目１５〜１６のいずれか一項に記載の造影剤注入器システムとを備えている医療システムであって、前記医療情報システムは、前記第１のデータ変換モジュールを通して前記第２のデータ変換モジュールの前記第１の通信ポートと動作可能に相互接続され、前記第２のデータ変換モジュールは、前記第２の通信ポートを通して前記撮像システムと動作可能に相互接続されている、医療システム。
（項目１８）
前記第１のデータ変換モジュールは、第１および第２の通信ノードを備え、前記第１の通信ノードは、前記ＣＡＮ準拠注入器通信バスと動作可能に相互接続され、前記第１の通信ノードを通した前記ＣＡＮ準拠注入器通信バスと前記第２の通信ノードとの間の一方向通信のみがあり、前記第１のデータ変換モジュールは、前記第２の通信ノードを通した双方向通信に適応する、項目１〜７、１０〜１２、１５、および１６のいずれか一項に記載の造影剤注入器システム。
（項目１９）
前記第１のデータ変換モジュールは、第１および第２の通信ノードを備え、前記第１の通信ノードは、前記ＣＡＮ準拠注入器通信バスと動作可能に相互接続され、前記第１のデータ変換モジュールは、前記第２の通信ノードに関してプル型データ転送構成を備えている、項目１〜７、１０〜１２、１５、１６、および１８のいずれか一項に記載の造影剤注入器システム。
（項目２０）
前記第１のデータ変換モジュールは、第１および第２の通信ノードを備え、前記第１の通信ノードは、前記ＣＡＮ準拠注入器通信バスと動作可能に相互接続され、前記第１のデータ変換モジュールは、前記第２の通信ノードを通して前記第１のデータ変換モジュールによって受信されるデータ要求に応答してのみ、データを前記第２の通信ノードに出力するように構成されている、項目１〜７、１０〜１２、１５、１６、１８、および１９のいずれか一項に記載の造影剤注入器システム。
（項目２１）
医療情報システムと、項目１８〜２０のいずれか一項に記載の造影剤注入器システムとを備えている医療システムであって、前記第１のデータ変換モジュールは、前記第２の通信ノードを通して前記医療情報システムと動作可能に相互接続されている、医療システム。
（項目２２）
前記医療情報システムは、病院情報システムを備えている、項目２１に記載の医療システム。
（項目２３）
医療システムであって、前記医療システムは、
読取機および注入器通信バスを備えている造影剤注入器システムと、
前記造影剤注入器システムと動作可能に相互接続されている撮像システムと、
第１のディスプレイおよび第１のユーザ入力デバイスを備えている第１のコンソールであって、前記第１のコンソールは、前記造影剤注入器システムおよび前記撮像システムのうちの少なくとも１つと動作可能に相互接続されている、第１のコンソールと、
複数の造影剤容器を備えている造影剤貯蔵／分配ユニットであって、各造影剤容器は、データ記憶デバイスを備え、前記読取機は、前記造影剤注入器システムによって使用される造影剤を有する対応する前記造影剤容器の前記データ記憶デバイスからデータを少なくとも読み取るように動作可能である、造影剤貯蔵／分配ユニットと、
医療情報システムと、
第１のデータ変換モジュールを備えている注入データ管理モジュールであって、前記注入データ管理モジュールは、前記注入器通信バスと前記医療情報システムとの間に配置され、それらの各々と動作可能に相互接続されている、注入データ管理モジュールと
を備えている、医療システム。
（項目２４）
少なくとも１つの腎機能査定モジュールをさらに備えている、項目２３に記載の医療システム。
（項目２５）
医療システムであって、前記医療システムは、
注入器通信バスを備えている造影剤注入器システムと、
前記造影剤注入器システムと動作可能に相互接続されている撮像システムと、
第１のディスプレイおよび第１のユーザ入力デバイスを備えている第１のコンソールであって、前記第１のコンソールは、前記造影剤注入器システムおよび前記撮像システムのうちの少なくとも１つと動作可能に相互接続されている、第１のコンソールと、
複数の造影剤容器を備えている造影剤貯蔵／分配ユニットと、
少なくとも１つの腎機能査定モジュールと、
医療情報システムと、
第１のデータ変換モジュールを備えている注入データ管理モジュールであって、前記注入データ管理モジュールは、前記注入器通信バスと前記医療情報システムとの間に配置され、それらの各々と動作可能に相互接続されている、注入データ管理モジュールと
を備えている、医療システム。
（項目２６）
前記造影剤注入器システムは、データ読取機をさらに備え、前記造影剤貯蔵／分配ユニットの各造影剤容器は、データ記憶デバイスを備え、前記データ読取機は、前記造影剤注入器システムによって使用される造影剤を有する対応する前記造影剤容器の前記データ記憶デバイスからデータを少なくとも読み取るように動作可能である、項目２５に記載の医療システム。
（項目２７）
前記第１のデータ変換モジュールは、データを１つの形式から異なる形式に変換するように構成されている、項目２３〜２６のいずれか一項に記載の医療システム。
（項目２８）
前記第１のデータ変換モジュールは、データを第１の形式から第２の形式に変換するように構成され、前記第１の形式のデータは、前記注入器通信バスからのデータに少なくとも基づき、前記第２の形式のデータは、前記第１のデータ変換モジュールから前記医療情報システムに伝送される、項目２３〜２７のいずれか一項に記載の医療システム。
（項目２９）
前記第１の形式は、ＣＡＮ準拠であり、前記第２の形式は、ＨＬ−７準拠である、項目２８に記載の医療システム。
（項目３０）
前記第１の形式は、ＣＡＮ  ２．０Ａである、項目２９に記載の医療システム。
（項目３１）
前記第１の形式は、ＣｉＡ  ４２５である、項目２９に記載の医療システム。
（項目３２）
前記少なくとも１つの腎機能査定モジュールは、前記造影剤注入器システムを使用して造影剤を患者に注入する前に、少なくとも１つの患者腎機能検査を提供するように構成され、前記造影剤は、前記造影剤貯蔵／分配ユニットによって提供される、項目２４〜３１のいずれか一項に記載の医療システム。
（項目３３）
前記造影剤注入器システムは、第１の腎機能査定モジュールを備え、前記少なくとも１つの患者腎機能査定モジュールは、前記第１の腎機能査定モジュールを備えている、項目２４〜３２のいずれか一項に記載の医療システム。
（項目３４）
前記第１の腎機能査定モジュールは、前記造影剤注入器システムが造影剤を患者に注入するように動作される前に、少なくとも１つの患者腎機能検査を提供するように構成されている、項目３３に記載の医療システム。
（項目３５）
前記第１の腎機能査定モジュールは、前記造影剤注入器システムが患者のためのプログラムされた注入を進めることができる前に、入力を要求するように構成され、前記入力は、患者腎機能が検査されたことの確認である、項目３３〜３４のいずれか一項に記載の医療システム。
（項目３６）
前記第１の腎機能査定モジュールは、撮像される患者についての腎機能情報の入力のために、前記第１のディスプレイ上でプロンプトを発行するように構成されているプロンプト論理を備えている、項目３３〜３５のいずれか一項に記載の医療システム。
（項目３７）
前記第１の腎機能査定モジュールは、閾値腎機能データを患者腎機能データと比較するように構成されている比較論理を備えている、項目３３〜３６のいずれか一項に記載の医療システム。
（項目３８）
前記造影剤貯蔵／分配ユニットは、第２の腎機能査定モジュールをさらに備え、前記少なくとも１つの腎機能査定モジュールは、前記第２の腎機能査定モジュールを備えている、項目２４〜３７のいずれか一項に記載の医療システム。
（項目３９）
前記第２の腎機能査定モジュールは、前記造影剤貯蔵／分配ユニットから任意の前記造影剤容器を解放する前に、少なくとも１つの患者腎機能検査を提供するように構成されている、項目３８に記載の医療システム。
（項目４０）
前記造影剤貯蔵／分配ユニットは、第２のディスプレイと、第２のユーザ入力デバイスとを備えている、項目３８〜３９のいずれか一項に記載の医療システム。
（項目４１）
前記第２の腎機能査定モジュールは、前記造影剤貯蔵／分配ユニットが任意の前記造影剤容器を分配するであろう前に、前記第２のユーザ入力デバイスを通して入力を要求するように構成され、前記入力は、患者腎機能が検査されたことの確認である、項目４０に記載の医療システム。
（項目４２）
前記第２の腎機能査定モジュールは、前記造影剤貯蔵／分配ユニットが任意の前記造影剤容器を分配するであろう前に、前記第２のユーザ入力デバイスを通して入力を要求するように構成され、前記入力は、患者腎機能が前記造影剤貯蔵／分配ユニットから分配される造影剤の閾値腎機能に従うことを決定されていることの確認である、項目４０〜４１のいずれか一項に記載の医療システム。
（項目４３）
前記造影剤貯蔵／分配ユニットは、前記医療情報システムと動作可能に相互接続されている、項目４２に記載の医療システム。
（項目４４）
前記第２の腎機能査定モジュールは、コンパレータを備え、前記造影剤貯蔵／分配ユニットが任意の前記造影剤容器を分配するであろう前に、第１、第２、および第３の入力を要求するように構成され、前記第１の入力は、造影剤タイプであり、前記第２の入力は、前記第１の入力に関連付けられている閾値腎機能であり、前記第３の入力は、患者腎機能データであり、前記造影剤貯蔵／分配ユニットは、前記第２の入力が前記第３の入力に従うことを前記コンパレータが決定した場合、第１の前記造影剤容器を分配するであろう、項目３８〜４３のいずれか一項に記載の医療システム。
（項目４５）
前記患者腎機能データは、前記医療情報システムから読み出される、項目４４に記載の医療システム。
（項目４６）
前記患者腎機能データは、前記造影剤貯蔵／分配ユニットに手動で入力される、項目４４に記載の医療システム。
（項目４７）
複数の造影剤タイプおよび複数の閾値腎機能を備えているデータ記憶機構をさらに備え、各造影剤タイプは、対応する前記閾値腎機能に関連付けられている、項目２４〜４６のいずれか一項に記載の医療システム。
（項目４８）
前記データ記憶機構は、前記造影剤注入器システムと動作可能に相互接続されている、項目４７に記載の医療システム。
（項目４９）
前記データ記憶機構は、前記造影剤貯蔵／分配ユニットと動作可能に相互接続されている、項目４７〜４８のいずれか一項に記載の医療システム。
（項目５０）
前記医療情報システムは、病院情報システム、健康管理情報システム、放射線情報システム、薬局情報システム、病院管理システム、またはそれらの任意の組み合わせから成る群より選択される、項目２３〜４９のいずれか一項に記載の医療システム。